(57)【要約】  矩形板状の液晶表示パネル（２２）の背面に光学固定用シート（２４）の正面を貼り付け、この光学固定用シート（２４）の背面に矩形板状のバックライト（３０）の正面を当接させ、光学固定用シート（２４）の四辺にそれぞれ形成した延長部（２４ｂ）をバックライト（３０）の背面側の四辺周縁に貼り付ける。これにより、簡単かつ組み立てやすい構造で液晶表示部の狭い額縁を達成する。
2015177995.tif 000002
【特許請求の範囲】
【請求項１】
液晶表示部を有する電子機器において、  矩形板状の液晶表示パネルと、  正面側が上記液晶表示パネルの背面に貼り付けられる光学固定用シートと、  上記光学固定用シートの背面に正面が当接した状態で固定される矩形板状のバックライトとを備え、  上記光学固定用シートは、上記バックライトの背面側周縁に回り込む延長部を有し、上記液晶表示パネルの背面に貼り付けられた状態で上記延長部が該光学固定用シートの四辺にそれぞれ形成されており、上記バックライトの背面側の四辺周縁に貼り付けられていることを特徴とする電子機器。
【請求項２】
請求項１に記載の電子機器において、  上記光学固定用シートは、接着性を有さない透明なフィルム状の基材を有し、該基材の矩形状の本体部の正面が接着剤又は両面テープで上記液晶表示パネルの背面に貼り付けられると共に、上記本体部の背面が上記バックライトの正面に当接し、かつ回り込んだ上記延長部が接着剤又は両面テープで上記バックライトの背面側周縁に貼り付けられていることを特徴とする電子機器。
【請求項３】
請求項１又は２に記載の電子機器において、  上記バックライトは、矩形皿状のベゼル上に反射シートと発光体を有する基板とを有し、該反射シート及び基板の正面側に導光板が配置されており、  上記導光板の正面側が上記バックライトの正面側を包み込むバックライト用透明シートで覆われていることを特徴とする電子機器。
【請求項４】
請求項３に記載の電子機器において、  上記バックライト用透明シートは、上記光学固定用シートに当接する部分に凹凸のあるシートであることを特徴とする電子機器。
【請求項５】
請求項１から４までのいずれか１つに記載の電子機器を製造する方法において、  上記液晶表示パネルの背面に上記光学固定用シートの正面を接着剤又は両面テープにより貼り付け、  上記光学固定用シートの背面に上記バックライトを押し当て、  上記光学固定用シートの延長部を折り曲げて上記バックライトの背面側周縁に接着剤又は両面テープにより貼り付けることを特徴とする電子機器の製造方法。
【発明の詳細な説明】
【技術分野】
【０００１】  本発明は、液晶表示部を有する電子機器及びその製造方法に関するものである。
【背景技術】
【０００２】  従来より、図７Ａに示すように、電子機器が備える液晶表示部１０２は、液晶アクティブエリアＡの外側の額縁領域Ｃが広く取られていたので、この広い額縁領域Ｃを利用して液晶表示パネル１２２にバックライト１３０を枠状両面テープ１２３で貼り付けていた。また、バックライト１３０の１枚以上からなる光学シート１２５が、この枠状両面テープ１２３でバックライト１３０の正面側に固定されている。バックライト１３０は、バックライトホルダ１２９内に導光板１２６を有し、背面側が反射板１２７で覆われている。【０００３】  また、バックライトホルダ１２９に十分な接着面積Ｄがあるので、図７Ｂに示すように、光学シート１２５のうち最も液晶表示パネル１２２側のシートをバックライトホルダ１２９に貼り付けることもできる。【０００４】  さらに、図７Ｃに示すように、光源であるＬＥＤ１２８は、バックライトホルダ１２９を基準として固定されている。【０００５】  しかしながら、近年、液晶アクティブエリアＡをできるだけ広くしたいというニーズがあり、額縁領域Ｃが狭くなってきた。そうすると、従来のように額縁領域Ｃを利用して液晶ユニット１２２とバックライトホルダ１２９とを貼り付けることができなくってきている。【０００６】  また、光を全体に当てるために液晶アクティブエリアＡよりもバックライト有効発光エリアＢの方が大きい必要がある。従来の構成では、接着面積Ｄを確保するために液晶表示パネル１２２よりもバックライトホルダ１２９を大きくせざるを得ず、せっかく液晶表示パネル１２２自体の額縁範囲を狭くしても、電子機器全体としては、額縁領域Ｃが広くなるという問題がある。【０００７】  そこで、特許文献１のように、液晶パネルと偏光板とバックライトとを積層した状態で、この積層体全体を正面側から側面を含めて光学接着フィルムで覆うことが知られている。【０００８】  また、特許文献２のように、光学素子積層体の入射面及び出射面とその短辺側の両端面とが、帯状の包装部材により包まれ、光学素子積層体の長辺側の両端面が露出され、帯状の包装部材の長手方向の端部同士が、光学素子積層体の短辺側の端面にて接合される液晶表示装置が知られている。
【先行技術文献】
【特許文献】
【０００９】
【特許文献１】特開２０１２−１０３６８７号公報
【特許文献２】特開２００８−１９７３９８号公報
【発明の概要】
【発明が解決しようとする課題】
【００１０】  しかしながら、特許文献１のような電子機器では、液晶パネルの正面側に積層された光学接着フィルムを貼り付けているので、透過率が低下してしまう。また、気泡が入ったり、ゆがんだりしないように貼り付けるのが難しいという問題もある。さらに、液晶パネルごと光学接着フィルムで覆うので、液晶パネルから延びるフレキシブル基板がある一辺は、光学接着フィルムで覆いにくい。【００１１】  また、特許文献２のものでは、帯状の包装部材の長手方向の端部同士が、光学素子積層体の短辺側の端面にて接合されるだけで、その他の部分は、包装部材で包むのみで光学素子積層体に接着されていないので、包装部材と、包装部材で包まれた光学素子積層体とを密着させることができず、包装部材の内部で光学素子積層体が動いてしまうおそれがある。【００１２】  それを防止するために、包装部材として熱収縮性を有する高分子材料を使用し、包装部材同士を接合した後、熱をかけ、包装部材を収縮させることで密着させる必要がある。【００１３】  しかし、熱収縮性高分子材料を熱収縮させると、皺の発生を皆無にはできず、どうしても光学特性が落ちてしまうという問題がある。【００１４】  本発明は、かかる点に鑑みてなされたものであり、その目的とするところは、簡単かつ組み立てやすい構造で液晶表示部の狭い額縁を達成することにある。
【課題を解決するための手段】
【００１５】  上記の目的を達成するために、この発明では、液晶表示部の背面に貼り付けた光学固定用シートでバックライトを包み込むようにした。【００１６】  具体的には、本発明では、液晶表示部を有する電子機器を前提とし、  上記電子機器は、  矩形板状の液晶表示パネルと、  正面側が上記液晶表示パネルの背面に貼り付けられる光学固定用シートと、  上記光学固定用シートの背面に正面が当接した状態で固定される矩形板状のバックライトとを備え、  上記光学固定用シートは、上記バックライトの背面側周縁に回り込む延長部を有し、上記液晶表示パネルの背面に貼り付けられた状態で上記延長部が該光学固定用シートの四辺にそれぞれ形成されており、上記バックライトの背面側の四辺周縁に貼り付けられている。【００１７】  上記の構成によると、従来のようにバックライトホルダの枠を利用して接着を行う必要がなくなるので、狭額縁の液晶表示部を用いても額縁領域を広げることなく表示エリア全体を光らせることができる。また、液晶表示部の正面側から光学固定用シートで包み込むのではなく、液晶表示部の背面に貼り付けた光学固定用シートでバックライトを包み込んでいるので、透過率の低下が避けられる。液晶表示部の背面が光学固定用シートで貼り付けられているので、液晶表示部の背面とバックライトとの間にゴミが入りにくい。【００１８】  また、バックライトの背面側の四辺周縁の全てに延長部が貼り付けられるので、バックライトを構成する各部品がいずれの方向にも、ずれることはない。そうすることで、各部品の位置精度が向上し、強度も増して各部品間の隙間にゴミが入り込みにくくなる。【００１９】  さらに、光学固定用シート同士を接合するのではなく、光学固定用シート延長部の正面側の高い剛性を有するバックライトの背面を利用して光学固定用シートを接合することで、液晶表示パネル及びバックライトを光学特性を落とさないようにしながら確実に保持することができる。
【発明の効果】
【００２０】  以上説明したように、本発明によれば、光学固定用シートにバックライトの背面側の四辺周縁に回り込む延長部を設け、正面を液晶表示パネルの背面に貼り付けた状態で延長部をバックライトの背面側の四辺周縁に貼り付けるようにしたことにより、簡単かつ組み立てやすい構造で液晶表示部の狭い額縁を達成することができる。
【図面の簡単な説明】
【００２１】
【図１】図２のＩ−Ｉ線拡大断面図及びその一部拡大図である。
【図２】本発明の実施形態に係る携帯電話機を示す斜視図である。
【図３】携帯電話機の分解斜視図である。
【図４】液晶表示部及びバックライトを背面から見た斜視図である。
【図５Ａ】展開した状態の光学固定用シートを示す斜視図である。
【図５Ｂ】折り曲げた状態の光学固定用シートを示す斜視図である。
【図６】その他の実施形態に係る携帯電話機を示す図１の拡大図相当図である。
【図７Ａ】従来技術に係る液晶表示部及びバックライトを示す断面図である。
【図７Ｂ】従来技術に係る液晶表示部及びバックライトを示す断面図である。
【図７Ｃ】従来技術に係る液晶表示部及びバックライトを示す断面図である。
【図８】本発明の実施形態２に係る図１相当図である。
【図９】本発明の実施形態２の変形例に係る図１相当図である。
【図１０Ａ】バックライト用透明シートを折り畳む前を示す斜視図である。
【図１０Ｂ】バックライト用透明シートを折り畳む途中を示す斜視図である。
【図１０Ｃ】バックライト用透明シートを折り畳んだ後を示す斜視図である。
【発明を実施するための形態】
【００２２】  以下、本発明の実施形態を図面に基づいて説明する。
【００２３】  （実施形態１）  図２及び図３に示すように、本実施形態に係る電子機器としての携帯電話機１は、例えば、正面側に液晶表示部２が収容される正面側キャビネット３と、その背面側を覆う背面側キャビネット４と、その背面を覆うリアカバー５とを備えている。正面側キャビネット３と背面側キャビネット４との間には、充電池６やメイン基板７が収容されている。
【００２４】  図３及び図４に示すように、液晶表示部２は、正面側を覆うガラス板、アクリル板等よりなる正面カバー２０を備えている。本実施形態では、正面カバー２０は、外周縁が背面側に延びているが、平板状でもよい。正面カバー２０の背面側にタッチパネル２１が貼り付けられている。このタッチパネル２１は、なくてもよい。また、タッチパネル２１が正面カバー２０を兼ねていてもよい。タッチパネル２１の背面側には、矩形板状の液晶表示パネル２２が貼り付けられている。液晶表示パネル２２は、詳しくは図示しないが、例えばカラーフィルタ基板とアレイ基板との間に液晶層が挟み込まれ、正面及び背面が偏光板で覆われており、駆動用ＬＳＩを有するプリント基板を備えている。図１及び図４に示すように、液晶表示パネル２２の背面には、バックライト３０が光線透過率の高い、光学固定用シート２４によって固定されている。
【００２５】  具体的には、液晶表示パネル２２の背面に、光学固定用シート２４が光線透過率の高い、矩形状の透明光学粘着テープ２３（ＯＣＡ）によって固定され、バックライト３０は、光学固定用シート２４によって液晶表示パネル２２の背面に正面が当接した状態で固定されている。
【００２６】  光学固定用シート２４は、例えばＰＥＴ樹脂（ポリエチレンテレフタレート）やＰＥＮ樹脂（ポリエチレンナフタレート）などの接着性を有さない無色透明な、例えば厚さ１０〜２５０μｍのフィルム状の基材を有し、光線透過率が高い、波長による透過率の差が小さい、薄くて強度がある等の特徴がある。光学固定用シート２４は、バックライト３０の光をロスなく液晶表示パネル２２側に伝えたり、液晶表示パネル２２とバックライト３０とを確実に固定する役割を果たす。光学固定用シート２４として、表面に凹凸を形成したシート(拡散シートの一部やレンズシート)を使用してもよい。光学固定用シート２４の表面が凹凸を有する場合、ニュートン・リングの発生を防止できるという利点がある。そして、フィルム基材の矩形状の本体部２４ａが透明光学粘着テープ２３で液晶表示パネル２２の背面に貼り付けられるようになっている。この基材を薄くすることで、全体の厚さが薄くなっている。基材は、例えば、図５Ａ及び図５Ｂに示すように、四辺に折り曲げ可能なフラップ状の延長部２４ｂを備えている。
【００２７】  バックライト３０は、矩形皿状の樹脂成形品、金属成形品等よりなる薄肉のベゼル２９を備えている。このベゼル２９上に反射シート２７と発光体としてのＬＥＤが間隔を空けて配置されたバックライト用基板２８とを有する。この反射シート２７及びバックライト用基板２８の正面側のベゼル２９内に矩形板状の導光板２６が配置されている。
【００２８】  反射シート２７は、例えば、ポリエステル系樹脂基材の多層膜構造であり、ＰＥＴ(ポリエステル系樹脂)フィルムに銀を蒸着したり、ＰＥＴ(ポリエステル系樹脂)フィルムとアルミ等の金属箔との積層で構成したりして形成されている。反射シート２７は、その厚さが例えば３０〜３００μｍであり、高い反射率を有し、反射時の損失が小さく、液晶表示パネル２２とは反対方向に出された光を反射させ、液晶表示パネル２２側に送り返すことで、光のロスを減らし、液晶表示部２の輝度を向上させる役割を果たす。
【００２９】  バックライト３０のベゼル２９の背面側周縁には、図４に破線で示すように、延長部２４ｂが貼り付けられる部分に延長部固定用両面テープ２９ａが貼り付けられている。この延長部固定用両面テープ２９ａによって延長部２４ｂが貼り付けられている。なお、この延長部２４ｂは、接着剤で貼り付けられていてもよい。
【００３０】  そして、本実施形態では、図１に拡大して示すように、本体部２４ａの背面側には、光線透過率の高いバックライト用透明シート３１が設けられている。このバックライト用透明シート３１は、光線透過率の高い材料、例えば、ＰＥＴフィルム、ＰＥＮフィルムで構成され、その厚さは例えば１０〜２５０μｍである。バックライト用透明シート３１は、波長による透過率の差が小さく、薄くて強度があり、無色透明で表面が平坦となっており、バックライト３０の光をロスなく液晶表示パネル２２側に伝えたり、バックライト３０を確実に保持したりする役割を果たす。バックライト用透明シート３１として、表面に凹凸を形成したシート(拡散シートの一部やレンズシート)を使用してもよい。本実施形態では、光学固定用シート２４に表面が平坦なシートを使用しているので、バックライト用透明シート３１を表面に凹凸のある拡散シートとし、ニュートン・リングの発生を防止している。
【００３１】  図４にも示すように、バックライト用透明シート３１は、ベゼル２９の背面側まで折り曲げられ、図１等に示した透明シート用両面テープ２９ｂによって四辺全てにおいて貼り付けられている。そのことで、バックライト３０を予めユニット組立して検査等を行ってから組み付けできるようにしている。バックライト用透明シート３１の背面側には、例えば２枚のレンズシート２５ｂと１枚の拡散シート２５ａとからなる光学シート２５が配置されている。導光板２６の正面側に拡散シート２５ａが当接し、さらにその正面側にレンズシート２５ｂが当接するように、バックライト３０がバックライト用透明シート３１で覆われている。
【００３２】  拡散シート２５ａは、その基材として、例えばポリメチルメタクリレート、ポリカーボネート、ポリ塩化ビニル、ポリエステル、アセテート樹脂等のフィルム状や板状のものが考えられる。この基材上に、光拡散性層が塗布により形成されている。拡散シート２５ａは、その厚さが例えば３０〜１５０μｍであり、光線透過率が高く、光を散乱及び拡散させる半透明なフィルム（シート又は板）となっている。拡散シート２５ａは、広い視野角を付与しつつ正面方向への輝度を向上させたり、光源からの光を液晶表示パネル２２の全面に均一に伝える役割を果たす。
【００３３】  レンズシート２５ｂは、例えば透明性にすぐれたポリエステルの表面に、アクリル樹脂又はフォトポリマーのプリズムパターンを成形した光学フィルムよりなり、その厚さは、例えば４０〜４００μｍとなっている。レンズシート２５ｂは、光線透過率が高く、バックライト３０の前面に組み込むことにより、光源から照射された光を携帯電話機１の使用者に向かって集光し、正面での輝度を向上させ（直交２枚使いの場合）、また、視野角外の利用されない光を、再反射によってリサイクルし、使用者の方向に集光する役割を果たす。
【００３４】  光学シート２５は、光学効果（集光、拡散等）を保つために導光板２６の正面及びバックライト用透明シート３１の背面にバックライト３０の有効発光エリア内では接着されていないことが必要となる。なお、図１において、バックライト３０による照光範囲をＸで示している。この照光範囲Ｘは、液晶アクティブエリアＡよりも広い。
【００３５】  次いで、液晶表示部２とバックライト３０との組付手順について簡単に説明する。
【００３６】  図１に示すように、まず、正面カバー２０の背面にタッチパネル用ＯＣＡ２１ａを介してタッチパネル２１を貼り付ける。
【００３７】  次いで、タッチパネル２１の背面にＬＣＤ用ＯＣＡ２２ａを介して液晶表示パネル２２を貼り付ける。
【００３８】  次いで、液晶表示パネル２２の背面に光学固定用シート２４の正面を透明光学粘着テープ２３により貼り付ける。このとき、透明光学粘着テープ２３ではなく、透明な接着剤で貼り付けてもよい。光学固定用シート２４の本体部２４ａの背面側には、予め積層された光学シート２５をバックライト３０の有効発光エリア外で貼り付けておくとよい。光学シート２５は有効発光エリア外で導光板２６側に貼りつけておいてもよいし、ベゼル２９等で位置決めされただけの状態であってもよい。なお、本実施形態のようにバックライト用透明シート３１内に光学シート２５を設ける場合は、光学シート２５は光学固定用シート２４の本体部２４ａの背面側には、なくてもよい。
【００３９】  次いで、本実施形態のようにバックライト用透明シート３１を設ける場合には、予めバックライト３０をユニット組立した状態でバックライト用透明シート３１で包んだ状態で準備しておく。光学固定用シート２４の背面にユニット組立されたバックライト３０を押し当てて位置決めする。このとき、光学固定用シート２４にバックライト３０の正面を押し当てるが、光学固定用シート２４の基材自体は粘着性を有さないので、位置決めがしやすい。
【００４０】  次いで、光学固定用シート２４の４箇所の延長部２４ｂをベゼル２９の背面側に折り曲げ、その背面側四辺周縁において延長部固定用両面テープ２９ａによって貼り付ける。
【００４１】  そして、図４のようにユニット化された液晶表示部２及びバックライト３０を正面側キャビネット３に収容する。
【００４２】  このように構成したことにより、従来のようにバックライトホルダの枠を利用して接着を行う必要がなくなるので、狭額縁の液晶表示部２を用いても額縁領域を広げることなく表示エリア全体を光らせることができる。また、液晶表示部２の正面側から光学固定用シート２４で包み込むのではなく、液晶表示部２の背面に貼り付けた光学固定用シート２４でバックライト３０を包み込んでいるので、透過率の低下が避けられる。
【００４３】  また、拡散シート２５ａやレンズシート２５ｂと導光板２６の正面側や、バックライト用透明シート３１の背面側とがバックライト３０の有効発光エリア（照光範囲Ｘ）内では接着されていないので、バックライト３０正面側における光の集光や拡散が妨げられない。
【００４４】  さらに、ベゼル２９の側壁いっぱいまで導光板２６を配置できると共に、従来のように貼付領域を設ける必要がないので、額縁の狭いバックライト３０が得られる。
【００４５】  また、バックライト３０の背面側の四辺周縁の全てに延長部２４ｂが貼り付けられるので、光学シート２５、拡散シート２５ａ、レンズシート２５ｂ、導光板２６、反射シート２７等がいずれの方向にもずれることはない。そうすることで、各部品の位置精度が向上し、強度も増して各部品間の隙間にゴミが入り込みにくくなる。
【００４６】  さらに、光学固定用シート２４同士を接合するのではなく、光学固定用シート２４の延長部２４ｂの正面側の高い剛性を有するバックライト３０の背面を利用して光学固定用シート２４を接合することで、液晶表示パネル２２及びバックライト３０を光学特性を落とさないようにしながら確実に保持することができる。
【００４７】  したがって、本実施形態に係る携帯電話機１によると、簡単かつ組み立てやすい構造で液晶表示部２の狭い額縁を達成することができる。
【００４８】  （実施形態２）  図８は本発明の実施形態２を示し、ベゼル２９がない点で上記実施形態１と異なる。なお、本実施形態では、図１〜図６と同じ部分については同じ符号を付してその詳細な説明は省略する。
【００４９】  すなわち、本実施形態では、ベゼル２９が設けられていないので、バックライト３０の外形が同じであれば、導光板２６及び光学シート２５の外形を上記実施形態１よりも大きくできる。このため、照光範囲Ｘ’が上記実施形態１の照光範囲Ｘよりも広くなっている。
【００５０】  この場合、ベゼル２９を省略したことによる剛性低下を避けるために、反射シート２７の剛性をあげることが望ましい。例えば、厚さを増やしたり、板金などの剛性部材との積層材にしたりするとよい。
【００５１】  −実施形態２の変形例−  図９〜図１０Ｃは本発明の実施形態２の変形例を示し、バックライト用透明シート２３１の形状及び固定方法が上記実施形態１と異なる。
【００５２】  すなわち、上記実施形態１では、バックライト用透明シート３１はベゼル２９の背面側の四辺の周縁に透明シート用両面テープ２９ｂで接着されているが、本変形例では、バックライト用透明シート２３１の長手方向の一方の辺に他方の短い方の延長部２３１ａ側まで大きく延びた追加延長部２３１ｂが設けられている。この追加延長部２３１ｂが延長部２３１ａに互いに重なり合うようにして接着されている。つまり、先に追加延長部２３１ｂを透明シート用両面テープ２９ｂで貼り付けた後、延長部２３１ａを先に貼り付けた追加延長部２３１ｂに重ね合わせるようにして透明シート用両面テープ２９ｂで貼り合わせている。先に延長部２３１ａを貼り付けた後、追加延長部２３１ｂを延長部２３１ａに貼り合せてもよい。なお、光学固定用シート２４は、上記実施形態１と同様のものを延長部固定用両面テープ２９ａで貼り付ければよい。
【００５３】  したがって、本変形例では、透明シート用両面テープ２９ｂが貼り付けられる反射シート２７への負担を少なくし、かつバックライト用透明シート２３１の内部の各部品がぐらつかないように密着して固定できるので、反射シート２７の剛性を必要以上に上げる必要はない。
【００５４】  （その他の実施形態）  本発明は、上記実施形態について、以下のような構成としてもよい。
【００５５】  すなわち、上記実施形態では、バックライト３０をユニット化する場合について説明したが、本発明は、図６に示すように、バックライト用透明シート３１を介さずに光学固定用シート２４でバックライト３０を覆ってもよい。この場合には、光学シート２５は、光学固定用シート２４の本体部２４ａの背面側に貼りつけるとよい。この実施形態では、バックライト３０をユニット化することによるハンドリングしやすさなどの効果はないが、バックライト用透明シート３１がない分だけ部品点数が減り、厚さを薄くすることができる。
【００５６】  また、拡散シート２５ａ、光学固定用シート２４やバックライト用透明シート３１を表面に凹凸のあるシートにしてもよい。そうすれば、光の拡散機能を保ちながら、液晶表示部に干渉縞が発生しないようにすることができる。
【００５７】  上記実施形態では、電子機器は、携帯電話機１としたが、タブレット端末、ＰＨＳ（Personal Handy-phone System ）、ＰＤＡ(Personal Digital Assistant)、パソコン、モバイルツール、電子辞書、電卓、ゲーム機等であってもよく、特に小型の液晶ディスプレイ、液晶テレビ、ブルーレイ（ＤＶＤ）レコーダ等であってもよい。
【００５８】  なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００５９】            １      携帯電話機（電子機器）            ２      液晶表示部            ３      正面側キャビネット            ４      背面側キャビネット            ５      リアカバー            ６      充電池            ７      メイン基板          ２０      正面カバー          ２１      タッチパネル          ２１ａ    タッチパネル用ＯＣＡ          ２２      液晶表示パネル          ２２ａ    ＬＣＤ用ＯＣＡ          ２３      透明光学粘着テープ          ２４      光学固定用シート          ２４ａ    本体部          ２４ｂ    延長部          ２５      光学シート          ２５ａ    拡散シート          ２５ｂ    レンズシート          ２６      導光板          ２７      反射シート          ２８      バックライト用基板          ２９      ベゼル          ２９ａ    延長部固定用両面テープ          ２９ｂ    透明シート用両面テープ          ３０      バックライト          ３１      バックライト用透明シート        ２３１      バックライト用透明シート        ２３１ａ    延長部        ２３１ｂ    追加延長部
【図１】
2015177995.tif 000003
【図２】
2015177995.tif 000004
【図３】
2015177995.tif 000005
【図４】
2015177995.tif 000006
【図５Ａ】
2015177995.tif 000007
【図５Ｂ】
2015177995.tif 000008
【図６】
2015177995.tif 000009
【図７Ａ】
2015177995.tif 000010
【図７Ｂ】
2015177995.tif 000011
【図７Ｃ】
2015177995.tif 000012
【図８】
2015177995.tif 000013
【図９】
2015177995.tif 000014
【図１０Ａ】
2015177995.tif 000015
【図１０Ｂ】
2015177995.tif 000016
【図１０Ｃ】
2015177995.tif 000017
【手続補正書】
【提出日】平成28年10月4日(2016.10.4)
【手続補正１】
【補正対象書類名】明細書
【補正対象項目名】全文
【補正方法】変更
【補正の内容】
【発明の詳細な説明】
【技術分野】
【０００１】
本発明は、液晶表示部を有する電子機器及びその製造方法に関するものである。
【背景技術】
【０００２】
従来より、図７Ａに示すように、電子機器が備える液晶表示部１０２は、液晶アクティブエリアＡの外側の額縁領域Ｃが広く取られていたので、この広い額縁領域Ｃを利用して液晶表示パネル１２２にバックライト１３０を枠状両面テープ１２３で貼り付けていた。また、バックライト１３０の１枚以上からなる光学シート１２５が、この枠状両面テープ１２３でバックライト１３０の正面側に固定されている。バックライト１３０は、バックライトホルダ１２９内に導光板１２６を有し、背面側が反射板１２７で覆われている。
【０００３】
また、バックライトホルダ１２９に十分な接着面積Ｄがあるので、図７Ｂに示すように、光学シート１２５のうち最も液晶表示パネル１２２側のシートをバックライトホルダ１２９に貼り付けることもできる。
【０００４】
さらに、図７Ｃに示すように、光源であるＬＥＤ１２８は、バックライトホルダ１２９を基準として固定されている。
【０００５】
しかしながら、近年、液晶アクティブエリアＡをできるだけ広くしたいというニーズがあり、額縁領域Ｃが狭くなってきた。そうすると、従来のように額縁領域Ｃを利用して液晶ユニット１２２とバックライトホルダ１２９とを貼り付けることができなくってきている。
【０００６】
また、光を全体に当てるために液晶アクティブエリアＡよりもバックライト有効発光エリアＢの方が大きい必要がある。従来の構成では、接着面積Ｄを確保するために液晶表示パネル１２２よりもバックライトホルダ１２９を大きくせざるを得ず、せっかく液晶表示パネル１２２自体の額縁範囲を狭くしても、電子機器全体としては、額縁領域Ｃが広くなるという問題がある。
【０００７】
そこで、特許文献１のように、液晶パネルと偏光板とバックライトとを積層した状態で、この積層体全体を正面側から側面を含めて光学接着フィルムで覆うことが知られている。
【０００８】
また、特許文献２のように、光学素子積層体の入射面及び出射面とその短辺側の両端面とが、帯状の包装部材により包まれ、光学素子積層体の長辺側の両端面が露出され、帯状の包装部材の長手方向の端部同士が、光学素子積層体の短辺側の端面にて接合される液晶表示装置が知られている。
【先行技術文献】
【特許文献】
【０００９】
【特許文献１】特開２０１２−１０３６８７号公報
【特許文献２】特開２００８−１９７３９８号公報
【発明の概要】
【発明が解決しようとする課題】
【００１０】
しかしながら、特許文献１のような電子機器では、液晶パネルの正面側に積層された光学接着フィルムを貼り付けているので、透過率が低下してしまう。また、気泡が入ったり、ゆがんだりしないように貼り付けるのが難しいという問題もある。さらに、液晶パネルごと光学接着フィルムで覆うので、液晶パネルから延びるフレキシブル基板がある一辺は、光学接着フィルムで覆いにくい。
【００１１】
また、特許文献２のものでは、帯状の包装部材の長手方向の端部同士が、光学素子積層体の短辺側の端面にて接合されるだけで、その他の部分は、包装部材で包むのみで光学素子積層体に接着されていないので、包装部材と、包装部材で包まれた光学素子積層体とを密着させることができず、包装部材の内部で光学素子積層体が動いてしまうおそれがある。
【００１２】
それを防止するために、包装部材として熱収縮性を有する高分子材料を使用し、包装部材同士を接合した後、熱をかけ、包装部材を収縮させることで密着させる必要がある。
【００１３】
しかし、熱収縮性高分子材料を熱収縮させると、皺の発生を皆無にはできず、どうしても光学特性が落ちてしまうという問題がある。
【００１４】
本発明は、かかる点に鑑みてなされたものであり、その目的とするところは、簡単かつ組み立てやすい構造で液晶表示部の狭い額縁を達成することにある。
【課題を解決するための手段】
【００１５】
上記の目的を達成するために、この発明では、液晶表示部の背面に貼り付けた光学固定用シートでバックライトを包み込むようにした。
【００１６】
具体的には、本発明では、液晶表示部を有する電子機器を前提とし、
上記電子機器は、
矩形板状の液晶表示パネルと、
正面側が上記液晶表示パネルの背面に貼り付けられる光学固定用シートと、
上記光学固定用シートの背面に正面が当接した状態で固定される矩形板状のバックライトとを備え、
上記光学固定用シートは、上記バックライトの背面側周縁に回り込む延長部を有し、上記液晶表示パネルの背面に貼り付けられた状態で上記延長部が該光学固定用シートの四辺にそれぞれ形成されており、上記バックライトの背面側の四辺周縁に貼り付けられ、
上記バックライトは、矩形皿状のベゼル上に反射シートと発光体を有する基板とを有し、該反射シート及び基板の正面側に導光板が配置されており、
上記導光板の正面側が上記バックライトの正面側を包み込むバックライト用透明シートで覆われている。
【００１７】
上記の構成によると、従来のようにバックライトホルダの枠を利用して接着を行う必要がなくなるので、狭額縁の液晶表示部を用いても額縁領域を広げることなく表示エリア全体を光らせることができる。また、液晶表示部の正面側から光学固定用シートで包み込むのではなく、液晶表示部の背面に貼り付けた光学固定用シートでバックライトを包み込んでいるので、透過率の低下が避けられる。液晶表示部の背面が光学固定用シートで貼り付けられているので、液晶表示部の背面とバックライトとの間にゴミが入りにくい。
【００１８】
また、バックライトの背面側の四辺周縁の全てに延長部が貼り付けられるので、バックライトを構成する各部品がいずれの方向にも、ずれることはない。そうすることで、各部品の位置精度が向上し、強度も増して各部品間の隙間にゴミが入り込みにくくなる。
【００１９】
さらに、光学固定用シート同士を接合するのではなく、光学固定用シート延長部の正面側の高い剛性を有するバックライトの背面を利用して光学固定用シートを接合することで、液晶表示パネル及びバックライトを光学特性を落とさないようにしながら確実に保持することができる。
【発明の効果】
【００２０】
以上説明したように、本発明によれば、光学固定用シートにバックライトの背面側の四辺周縁に回り込む延長部を設け、正面を液晶表示パネルの背面に貼り付けた状態で延長部をバックライトの背面側の四辺周縁に貼り付け、反射シート及び基板の正面側に導光板を配置し、この導光板の正面側をバックライトの正面側を包み込むバックライト用透明シートで覆うようにしたことにより、簡単かつ組み立てやすい構造で液晶表示部の狭い額縁を達成することができる。
【図面の簡単な説明】
【００２１】
【図１】図２のＩ−Ｉ線拡大断面図及びその一部拡大図である。
【図２】本発明の実施形態に係る携帯電話機を示す斜視図である。
【図３】携帯電話機の分解斜視図である。
【図４】液晶表示部及びバックライトを背面から見た斜視図である。
【図５Ａ】展開した状態の光学固定用シートを示す斜視図である。
【図５Ｂ】折り曲げた状態の光学固定用シートを示す斜視図である。
【図６】その他の実施形態に係る携帯電話機を示す図１の拡大図相当図である。
【図７Ａ】従来技術に係る液晶表示部及びバックライトを示す断面図である。
【図７Ｂ】従来技術に係る液晶表示部及びバックライトを示す断面図である。
【図７Ｃ】従来技術に係る液晶表示部及びバックライトを示す断面図である。
【図８】本発明の実施形態２に係る図１相当図である。
【図９】本発明の実施形態２の変形例に係る図１相当図である。
【図１０Ａ】バックライト用透明シートを折り畳む前を示す斜視図である。
【図１０Ｂ】バックライト用透明シートを折り畳む途中を示す斜視図である。
【図１０Ｃ】バックライト用透明シートを折り畳んだ後を示す斜視図である。
【発明を実施するための形態】
【００２２】
以下、本発明の実施形態を図面に基づいて説明する。
【００２３】
（実施形態１）
図２及び図３に示すように、本実施形態に係る電子機器としての携帯電話機１は、例えば、正面側に液晶表示部２が収容される正面側キャビネット３と、その背面側を覆う背面側キャビネット４と、その背面を覆うリアカバー５とを備えている。正面側キャビネット３と背面側キャビネット４との間には、充電池６やメイン基板７が収容されている。
【００２４】
図３及び図４に示すように、液晶表示部２は、正面側を覆うガラス板、アクリル板等よりなる正面カバー２０を備えている。本実施形態では、正面カバー２０は、外周縁が背面側に延びているが、平板状でもよい。正面カバー２０の背面側にタッチパネル２１が貼り付けられている。このタッチパネル２１は、なくてもよい。また、タッチパネル２１が正面カバー２０を兼ねていてもよい。タッチパネル２１の背面側には、矩形板状の液晶表示パネル２２が貼り付けられている。液晶表示パネル２２は、詳しくは図示しないが、例えばカラーフィルタ基板とアレイ基板との間に液晶層が挟み込まれ、正面及び背面が偏光板で覆われており、駆動用ＬＳＩを有するプリント基板を備えている。図１及び図４に示すように、液晶表示パネル２２の背面には、バックライト３０が光線透過率の高い、光学固定用シート２４によって固定されている。
【００２５】
具体的には、液晶表示パネル２２の背面に、光学固定用シート２４が光線透過率の高い、矩形状の透明光学粘着テープ２３（ＯＣＡ）によって固定され、バックライト３０は、光学固定用シート２４によって液晶表示パネル２２の背面に正面が当接した状態で固定されている。
【００２６】
光学固定用シート２４は、例えばＰＥＴ樹脂（ポリエチレンテレフタレート）やＰＥＮ樹脂（ポリエチレンナフタレート）などの接着性を有さない無色透明な、例えば厚さ１０〜２５０μｍのフィルム状の基材を有し、光線透過率が高い、波長による透過率の差が小さい、薄くて強度がある等の特徴がある。光学固定用シート２４は、バックライト３０の光をロスなく液晶表示パネル２２側に伝えたり、液晶表示パネル２２とバックライト３０とを確実に固定する役割を果たす。光学固定用シート２４として、表面に凹凸を形成したシート(拡散シートの一部やレンズシート)を使用してもよい。光学固定用シート２４の表面が凹凸を有する場合、ニュートン・リングの発生を防止できるという利点がある。そして、フィルム基材の矩形状の本体部２４ａが透明光学粘着テープ２３で液晶表示パネル２２の背面に貼り付けられるようになっている。この基材を薄くすることで、全体の厚さが薄くなっている。基材は、例えば、図５Ａ及び図５Ｂに示すように、四辺に折り曲げ可能なフラップ状の延長部２４ｂを備えている。
【００２７】
バックライト３０は、矩形皿状の樹脂成形品、金属成形品等よりなる薄肉のベゼル２９を備えている。このベゼル２９上に反射シート２７と発光体としてのＬＥＤが間隔を空けて配置されたバックライト用基板２８とを有する。この反射シート２７及びバックライト用基板２８の正面側のベゼル２９内に矩形板状の導光板２６が配置されている。
【００２８】
反射シート２７は、例えば、ポリエステル系樹脂基材の多層膜構造であり、ＰＥＴ(ポリエステル系樹脂)フィルムに銀を蒸着したり、ＰＥＴ(ポリエステル系樹脂)フィルムとアルミ等の金属箔との積層で構成したりして形成されている。反射シート２７は、その厚さが例えば３０〜３００μｍであり、高い反射率を有し、反射時の損失が小さく、液晶表示パネル２２とは反対方向に出された光を反射させ、液晶表示パネル２２側に送り返すことで、光のロスを減らし、液晶表示部２の輝度を向上させる役割を果たす。
【００２９】
バックライト３０のベゼル２９の背面側周縁には、図４に破線で示すように、延長部２４ｂが貼り付けられる部分に延長部固定用両面テープ２９ａが貼り付けられている。この延長部固定用両面テープ２９ａによって延長部２４ｂが貼り付けられている。なお、この延長部２４ｂは、接着剤で貼り付けられていてもよい。
【００３０】
そして、本実施形態では、図１に拡大して示すように、本体部２４ａの背面側には、光線透過率の高いバックライト用透明シート３１が設けられている。このバックライト用透明シート３１は、光線透過率の高い材料、例えば、ＰＥＴフィルム、ＰＥＮフィルムで構成され、その厚さは例えば１０〜２５０μｍである。バックライト用透明シート３１は、波長による透過率の差が小さく、薄くて強度があり、無色透明で表面が平坦となっており、バックライト３０の光をロスなく液晶表示パネル２２側に伝えたり、バックライト３０を確実に保持したりする役割を果たす。バックライト用透明シート３１として、表面に凹凸を形成したシート(拡散シートの一部やレンズシート)を使用してもよい。本実施形態では、光学固定用シート２４に表面が平坦なシートを使用しているので、バックライト用透明シート３１を表面に凹凸のある拡散シートとし、ニュートン・リングの発生を防止している。
【００３１】
図４にも示すように、バックライト用透明シート３１は、ベゼル２９の背面側まで折り曲げられ、図１等に示した透明シート用両面テープ２９ｂによって四辺全てにおいて貼り付けられている。そのことで、バックライト３０を予めユニット組立して検査等を行ってから組み付けできるようにしている。バックライト用透明シート３１の背面側には、例えば２枚のレンズシート２５ｂと１枚の拡散シート２５ａとからなる光学シート２５が配置されている。導光板２６の正面側に拡散シート２５ａが当接し、さらにその正面側にレンズシート２５ｂが当接するように、バックライト３０がバックライト用透明シート３１で覆われている。
【００３２】
拡散シート２５ａは、その基材として、例えばポリメチルメタクリレート、ポリカーボネート、ポリ塩化ビニル、ポリエステル、アセテート樹脂等のフィルム状や板状のものが考えられる。この基材上に、光拡散性層が塗布により形成されている。拡散シート２５ａは、その厚さが例えば３０〜１５０μｍであり、光線透過率が高く、光を散乱及び拡散させる半透明なフィルム（シート又は板）となっている。拡散シート２５ａは、広い視野角を付与しつつ正面方向への輝度を向上させたり、光源からの光を液晶表示パネル２２の全面に均一に伝える役割を果たす。
【００３３】
レンズシート２５ｂは、例えば透明性にすぐれたポリエステルの表面に、アクリル樹脂又はフォトポリマーのプリズムパターンを成形した光学フィルムよりなり、その厚さは、例えば４０〜４００μｍとなっている。レンズシート２５ｂは、光線透過率が高く、バックライト３０の前面に組み込むことにより、光源から照射された光を携帯電話機１の使用者に向かって集光し、正面での輝度を向上させ（直交２枚使いの場合）、また、視野角外の利用されない光を、再反射によってリサイクルし、使用者の方向に集光する役割を果たす。
【００３４】
光学シート２５は、光学効果（集光、拡散等）を保つために導光板２６の正面及びバックライト用透明シート３１の背面にバックライト３０の有効発光エリア内では接着されていないことが必要となる。なお、図１において、バックライト３０による照光範囲をＸで示している。この照光範囲Ｘは、液晶アクティブエリアＡよりも広い。
【００３５】
次いで、液晶表示部２とバックライト３０との組付手順について簡単に説明する。
【００３６】
図１に示すように、まず、正面カバー２０の背面にタッチパネル用ＯＣＡ２１ａを介してタッチパネル２１を貼り付ける。
【００３７】
次いで、タッチパネル２１の背面にＬＣＤ用ＯＣＡ２２ａを介して液晶表示パネル２２を貼り付ける。
【００３８】
次いで、液晶表示パネル２２の背面に光学固定用シート２４の正面を透明光学粘着テープ２３により貼り付ける。このとき、透明光学粘着テープ２３ではなく、透明な接着剤で貼り付けてもよい。光学固定用シート２４の本体部２４ａの背面側には、予め積層された光学シート２５をバックライト３０の有効発光エリア外で貼り付けておくとよい。光学シート２５は有効発光エリア外で導光板２６側に貼りつけておいてもよいし、ベゼル２９等で位置決めされただけの状態であってもよい。なお、本実施形態のようにバックライト用透明シート３１内に光学シート２５を設ける場合は、光学シート２５は光学固定用シート２４の本体部２４ａの背面側には、なくてもよい。
【００３９】
次いで、本実施形態のようにバックライト用透明シート３１を設ける場合には、予めバックライト３０をユニット組立した状態でバックライト用透明シート３１で包んだ状態で準備しておく。光学固定用シート２４の背面にユニット組立されたバックライト３０を押し当てて位置決めする。このとき、光学固定用シート２４にバックライト３０の正面を押し当てるが、光学固定用シート２４の基材自体は粘着性を有さないので、位置決めがしやすい。
【００４０】
次いで、光学固定用シート２４の４箇所の延長部２４ｂをベゼル２９の背面側に折り曲げ、その背面側四辺周縁において延長部固定用両面テープ２９ａによって貼り付ける。
【００４１】
そして、図４のようにユニット化された液晶表示部２及びバックライト３０を正面側キャビネット３に収容する。
【００４２】
このように構成したことにより、従来のようにバックライトホルダの枠を利用して接着を行う必要がなくなるので、狭額縁の液晶表示部２を用いても額縁領域を広げることなく表示エリア全体を光らせることができる。また、液晶表示部２の正面側から光学固定用シート２４で包み込むのではなく、液晶表示部２の背面に貼り付けた光学固定用シート２４でバックライト３０を包み込んでいるので、透過率の低下が避けられる。
【００４３】
また、拡散シート２５ａやレンズシート２５ｂと導光板２６の正面側や、バックライト用透明シート３１の背面側とがバックライト３０の有効発光エリア（照光範囲Ｘ）内では接着されていないので、バックライト３０正面側における光の集光や拡散が妨げられない。
【００４４】
さらに、ベゼル２９の側壁いっぱいまで導光板２６を配置できると共に、従来のように貼付領域を設ける必要がないので、額縁の狭いバックライト３０が得られる。
【００４５】
また、バックライト３０の背面側の四辺周縁の全てに延長部２４ｂが貼り付けられるので、光学シート２５、拡散シート２５ａ、レンズシート２５ｂ、導光板２６、反射シート２７等がいずれの方向にもずれることはない。そうすることで、各部品の位置精度が向上し、強度も増して各部品間の隙間にゴミが入り込みにくくなる。
【００４６】
さらに、光学固定用シート２４同士を接合するのではなく、光学固定用シート２４の延長部２４ｂの正面側の高い剛性を有するバックライト３０の背面を利用して光学固定用シート２４を接合することで、液晶表示パネル２２及びバックライト３０を光学特性を落とさないようにしながら確実に保持することができる。
【００４７】
したがって、本実施形態に係る携帯電話機１によると、簡単かつ組み立てやすい構造で液晶表示部２の狭い額縁を達成することができる。
【００４８】
（実施形態２）
図８は本発明の実施形態２を示し、ベゼル２９がない点で上記実施形態１と異なる。なお、本実施形態では、図１〜図６と同じ部分については同じ符号を付してその詳細な説明は省略する。
【００４９】
すなわち、本実施形態では、ベゼル２９が設けられていないので、バックライト３０の外形が同じであれば、導光板２６及び光学シート２５の外形を上記実施形態１よりも大きくできる。このため、照光範囲Ｘ’が上記実施形態１の照光範囲Ｘよりも広くなっている。
【００５０】
この場合、ベゼル２９を省略したことによる剛性低下を避けるために、反射シート２７の剛性をあげることが望ましい。例えば、厚さを増やしたり、板金などの剛性部材との積層材にしたりするとよい。
【００５１】
−実施形態２の変形例−
図９〜図１０Ｃは本発明の実施形態２の変形例を示し、バックライト用透明シート２３１の形状及び固定方法が上記実施形態１と異なる。
【００５２】
すなわち、上記実施形態１では、バックライト用透明シート３１はベゼル２９の背面側の四辺の周縁に透明シート用両面テープ２９ｂで接着されているが、本変形例では、バックライト用透明シート２３１の長手方向の一方の辺に他方の短い方の延長部２３１ａ側まで大きく延びた追加延長部２３１ｂが設けられている。この追加延長部２３１ｂが延長部２３１ａに互いに重なり合うようにして接着されている。つまり、先に追加延長部２３１ｂを透明シート用両面テープ２９ｂで貼り付けた後、延長部２３１ａを先に貼り付けた追加延長部２３１ｂに重ね合わせるようにして透明シート用両面テープ２９ｂで貼り合わせている。先に延長部２３１ａを貼り付けた後、追加延長部２３１ｂを延長部２３１ａに貼り合せてもよい。なお、光学固定用シート２４は、上記実施形態１と同様のものを延長部固定用両面テープ２９ａで貼り付ければよい。
【００５３】
したがって、本変形例では、透明シート用両面テープ２９ｂが貼り付けられる反射シート２７への負担を少なくし、かつバックライト用透明シート２３１の内部の各部品がぐらつかないように密着して固定できるので、反射シート２７の剛性を必要以上に上げる必要はない。
【００５４】
（その他の実施形態）
本発明は、上記実施形態について、以下のような構成としてもよい。
【００５５】
すなわち、上記実施形態では、バックライト３０をユニット化する場合について説明したが、本発明は、図６に示すように、バックライト用透明シート３１を介さずに光学固定用シート２４でバックライト３０を覆ってもよい。この場合には、光学シート２５は、光学固定用シート２４の本体部２４ａの背面側に貼りつけるとよい。この実施形態では、バックライト３０をユニット化することによるハンドリングしやすさなどの効果はないが、バックライト用透明シート３１がない分だけ部品点数が減り、厚さを薄くすることができる。
【００５６】
また、拡散シート２５ａ、光学固定用シート２４やバックライト用透明シート３１を表面に凹凸のあるシートにしてもよい。そうすれば、光の拡散機能を保ちながら、液晶表示部に干渉縞が発生しないようにすることができる。
【００５７】
上記実施形態では、電子機器は、携帯電話機１としたが、タブレット端末、ＰＨＳ（Personal Handy-phone System ）、ＰＤＡ(Personal Digital Assistant)、パソコン、モバイルツール、電子辞書、電卓、ゲーム機等であってもよく、特に小型の液晶ディスプレイ、液晶テレビ、ブルーレイ（ＤＶＤ）レコーダ等であってもよい。
【００５８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００５９】
１      携帯電話機（電子機器）
２      液晶表示部
３      正面側キャビネット
４      背面側キャビネット
５      リアカバー
６      充電池
７      メイン基板
２０      正面カバー
２１      タッチパネル
２１ａ    タッチパネル用ＯＣＡ
２２      液晶表示パネル
２２ａ    ＬＣＤ用ＯＣＡ
２３      透明光学粘着テープ
２４      光学固定用シート
２４ａ    本体部
２４ｂ    延長部
２５      光学シート
２５ａ    拡散シート
２５ｂ    レンズシート
２６      導光板
２７      反射シート
２８      バックライト用基板
２９      ベゼル
２９ａ    延長部固定用両面テープ
２９ｂ    透明シート用両面テープ
３０      バックライト
３１      バックライト用透明シート
２３１      バックライト用透明シート
２３１ａ    延長部
２３１ｂ    追加延長部
【手続補正２】
【補正対象書類名】特許請求の範囲
【補正対象項目名】全文
【補正方法】変更
【補正の内容】
【特許請求の範囲】
【請求項１】
液晶表示部を有する電子機器において、
矩形板状の液晶表示パネルと、
正面側が上記液晶表示パネルの背面に貼り付けられる光学固定用シートと、
上記光学固定用シートの背面に正面が当接した状態で固定される矩形板状のバックライトとを備え、
上記光学固定用シートは、上記バックライトの背面側周縁に回り込む延長部を有し、上記液晶表示パネルの背面に貼り付けられた状態で上記延長部が該光学固定用シートの四辺にそれぞれ形成されており、上記バックライトの背面側の四辺周縁に貼り付けられ、
上記バックライトは、矩形皿状のベゼル上に反射シートと発光体を有する基板とを有し、該反射シート及び基板の正面側に導光板が配置されており、
上記導光板の正面側が上記バックライトの正面側を包み込むバックライト用透明シートで覆われている
ことを特徴とする電子機器。
【請求項２】
請求項１に記載の電子機器において、
上記光学固定用シートは、接着性を有さない透明なフィルム状の基材を有し、該基材の矩形状の本体部の正面が接着剤又は両面テープで上記液晶表示パネルの背面に貼り付けられると共に、上記本体部の背面が上記バックライトの正面に当接し、かつ回り込んだ上記延長部が接着剤又は両面テープで上記バックライトの背面側周縁に貼り付けられている
ことを特徴とする電子機器。
【請求項３】
請求項１又は２に記載の電子機器において、
上記バックライト用透明シートは、上記光学固定用シートに当接する部分に凹凸のあるシートである
ことを特徴とする電子機器。
【請求項４】
請求項１から３までのいずれか１つに記載の電子機器を製造する方法において、
上記液晶表示パネルの背面に上記光学固定用シートの正面を接着剤又は両面テープにより貼り付け、
上記光学固定用シートの背面に上記バックライトを押し当て、
上記光学固定用シートの延長部を折り曲げて上記バックライトの背面側周縁に接着剤又は両面テープにより貼り付ける
ことを特徴とする電子機器の製造方法。
【国際調査報告】
2015177995.tif 000018
2015177995.tif 000019